(57)【特許請求の範囲】
【請求項１】
香りを提示する嗅覚ディスプレイであって、
噴射口を有する筐体、
前記筐体の内部に設けられ、前記噴射口から香気を噴射させる香気噴射部、
前記筐体の内部に設けられ、前記噴射口から無臭の空気を噴射させる第１空気噴射部、
前記筐体の内部に設けられ、前記噴射口から無臭の空気を噴射させる前記第１空気噴射部とは異なる第２空気噴射部、
前記香気噴射部を作動させる期間を所定期間に設定し、提示する香りの濃度に応じて、前記香りを提示する期間における当該香気噴射部と前記第１空気噴射部を作動させる回数を算出する算出部、
前記算出部で算出された回数だけ前記第１空気噴射部を噴射させる場合に、当該第１空気噴射部の１回あたりの作動期間が前記所定期間に満たないとき、当該第１空気噴射部を作動させる期間が当該所定期間以上になるように当該回数を算出し直す再算出部、および
前記香りを提示する期間において、前記算出部によって算出された回数または前記再算出部によって算出された回数だけ、前記香気噴射部と前記第１空気噴射部を交互にまたは同時に作動させるとともに、前記第２空気噴射部を常に作動させる、噴射制御部を備える、嗅覚ディスプレイ。
【請求項２】
前記噴射制御部は、前記香気噴射部を作動させる期間における前記香気の噴射量を変化させる、請求項１記載の嗅覚ディスプレイ。
【請求項３】
香りを提示する嗅覚ディスプレイであって、
各々が近傍に配置される複数の噴射口を有する筐体、
前記筐体の内部に設けられ、前記複数の噴射口のうちの第１噴射口から香気を噴射させる香気噴射部、
前記筐体の内部に設けられ、前記複数の噴射口のうちの前記第１噴射口とは異なる第２噴射口から無臭の空気を噴射させる第１空気噴射部、
前記筐体の内部に設けられ、前記複数の噴射口のうち前記第１噴射口および前記第２噴射口とは異なる第３噴射口から無臭の空気を噴射させる前記第１空気噴射部とは異なる第２空気噴射部、
前記香気噴射部を作動させる期間を所定期間に設定し、提示する香りの濃度に応じて、前記香りを提示する期間における当該香気噴射部と前記第１空気噴射部を作動させる回数を算出する算出部、
前記算出部で算出された回数だけ前記第１空気噴射部を噴射させる場合に、当該第１空気噴射部の１回あたりの作動期間が前記所定期間に満たないとき、当該第１空気噴射部を作動させる期間が当該所定期間以上になるように当該回数を算出し直す再算出部、および
前記香りを提示する期間において、前記算出部によって算出された回数または前記再算出部によって算出された回数だけ、前記香気噴射部と前記第１空気噴射部を交互にまたは同時に作動させるとともに、前記第２空気噴射部を常に作動させる、噴射制御部を備える、嗅覚ディスプレイ。
【発明の詳細な説明】
【技術分野】
【０００１】
この発明は嗅覚ディスプレイに関し、特に、ユーザに香りを提示する、嗅覚ディスプレイに関する。
【背景技術】
【０００２】
背景技術の一例が特許文献１に開示されている。この特許文献１に開示される香り発生装置は、流動する空気中に、香料を微小時間で短い間隔でパルス射出する。
【０００３】
また、背景技術の他の例が特許文献２に開示されている。この特許文献２に開示される嗅覚ディスプレイは、香気と無臭の空気の混合割合を調整することにより、香り成分の濃度を制御する。
【先行技術文献】
【特許文献】
【０００４】
【特許文献１】特開２００９−８２２７３号公報[A61M 21/02, A61L 9/02, A45D 34/02]
【特許文献２】特許第５２８８５７３号公報[G09F 9/00, G09F 9/00, A61L 9/12]
【発明の概要】
【発明が解決しようとする課題】
【０００５】
しかしながら、特許文献１では、香料を微小時間で短い間隔でパルス射出するが、射出量は一定であるため、一定の射出量から香料の濃度を低減することができず、香り成分の濃度を制御することが困難である。
【０００６】
また、特許文献２には、香り成分の濃度を制御する具体的な手法が開示されていない。
【０００７】
それゆえに、この発明の主たる目的は、新規な、嗅覚ディスプレイを提供することである。
【０００８】
この発明の他の目的は、濃度が制御された香りを均一に提示することができる、嗅覚ディスプレイを提供することである。
【課題を解決するための手段】
【０００９】
第１の発明は、香りを提示する嗅覚ディスプレイであって、噴射口を有する筐体、筐体の内部に設けられ、噴射口から香気を噴射させる香気噴射部、筐体の内部に設けられ、噴射口から無臭の空気を噴射させる第１空気噴射部、筐体の内部に設けられ、噴射口から無臭の空気を噴射させる第１空気噴射部とは異なる第２空気噴射部、香気噴射部を作動させる期間を所定期間に設定し、提示する香りの濃度に応じて、香りを提示する期間における当該香気噴射部と第１空気噴射部を作動させる回数を算出する算出部、算出部で算出された回数だけ第１空気噴射部を噴射させる場合に、当該第１空気噴射部の１回あたりの作動期間が所定期間に満たないとき、当該第１空気噴射部を作動させる期間が当該所定期間以上になるように当該回数を算出し直す再算出部、および香りを提示する期間において、算出部によって算出された回数または再算出部によって算出された回数だけ、香気噴射部と第１空気噴射部を交互にまたは同時に作動させるとともに、第２空気噴射部を常に作動させる、噴射制御部を備える、嗅覚ディスプレイである。
【００１０】
第１の発明では、嗅覚ディスプレイは、たとえば、パソコンやテレビなどの視聴覚ディスプレイと連動し、映像や音を含むコンテンツに付加して香りをユーザに提示する。筐体は噴出口を有し、この筐体の内部には、噴射口から香気を噴射させる香気噴射部が設けられる。また、筐体の内部には、噴射口から無臭の空気を噴射させる第１空気噴射部が設けられる。さらに、筐体の内部には、噴射口から無臭の空気を噴射させる第１空気噴射部とは異なる第２空気噴射部が設けられる。算出部は、香気噴射部を作動させる期間を所定期間に設定し、提示する香りの濃度に応じて、香りを提示する期間における当該香気噴射部と第１空気噴射部を作動させる回数を算出する。再算出部は、算出部で算出された回数だけ第１空気噴射部を噴射させる場合に、当該第１空気噴射部の１回あたりの作動期間が所定期間に満たないとき、当該第１空気噴射部を作動させる期間が当該所定期間以上になるように当該回数を算出し直す。噴射制御部は、香りを提示する期間において、算出部によって算出された回数または再算出部によって算出された回数だけ、香気噴射部と第１空気噴射部を交互にまたは同時に作動させるとともに、第２空気噴射部を常に作動させる。
【００１１】
第１の発明によれば、香りを提示する期間において、香気噴射部から噴射される香気と第１空気噴射部から噴射される無臭の空気を交互にまたは同時に噴射させるとともに、第２空気噴射部から常に無臭の空気を噴射させるので、香気と無臭の空気の混合割合に応じて濃度が制御された香りを均一に提示することができる。また、第１空気噴射部および第２空気噴射部から無臭の空気を噴射させるので、香気噴射部および第１空気噴射部または第２空気噴射部を設ける場合よりも、微細な濃度の制御が可能である。
また、第１の発明によれば、算出部で算出された回数だけ第１空気噴射部を噴射させる場合に、当該第１空気噴射部の１回あたりの作動期間が所定期間に満たないとき、当該第１空気噴射部を作動させる期間が当該所定期間以上になるように当該回数を算出し直すので、香気のみならず無臭の空気を安定して噴射させることができる。
【００１２】
第２の発明は、第１の発明に従属し、噴射制御部は、香気噴射部を作動させる期間および停止させる期間の長さと、第１空気噴射部を作動させる期間および停止させる期間の長さを変化させる。
【００１３】
第２の発明では、噴射制御部は、香気噴射部と第１空気噴射部を交互に作動させ、香気噴射部を作動させる期間の長さと同じ長さに第１空気噴射部を停止させる期間の長さを変化させ、香気噴射部を停止させる期間の長さと同じ長さに第１空気噴射部を作動させる長さを変化させる。したがって、香気と無臭の空気の混合割合が変化される。
【００１４】
第２の発明によれば、香気と無臭の空気の混合割合を簡単に調整することができる。
【００１５】
第２の発明は、第１の発明に従属し、噴射制御部は、香気噴射部を作動させる期間における香気の噴射量を変化させる。
【００１６】
第２の発明では、噴射制御部は、香気噴射部を作動させる期間における香気の噴射量を増加または減少させる。したがって、香気と無臭の空気の混合割合が変化される。
【００１７】
第２の発明においても、香気と無臭の空気の混合割合を簡単に調整することができる。
【００２４】
第３の発明は、香りを提示する嗅覚ディスプレイであって、各々が近傍に配置される複数の噴射口を有する筐体、筐体の内部に設けられ、複数の噴射口のうちの第１噴射口から香気を噴射させる香気噴射部、筐体の内部に設けられ、複数の噴射口のうちの第１噴射口とは異なる第２噴射口から無臭の空気を噴射させる第１空気噴射部、筐体の内部に設けられ、複数の噴射口のうち第１噴射口および第２噴射口とは異なる第３噴射口から無臭の空気を噴射させる第１空気噴射部とは異なる第２空気噴射部、香気噴射部を作動させる期間を所定期間に設定し、提示する香りの濃度に応じて、香りを提示する期間における当該香気噴射部と第１空気噴射部を作動させる回数を算出する算出部、算出部で算出された回数だけ第１空気噴射部を噴射させる場合に、当該第１空気噴射部の１回あたりの作動期間が所定期間に満たないとき、当該第１空気噴射部を作動させる期間が当該所定期間以上になるように当該回数を算出し直す再算出部、および香りを提示する期間において、算出部によって算出された回数または再算出部によって算出された回数だけ、香気噴射部と第１空気噴射部を交互にまたは同時に作動させるとともに、第２空気噴射部を常に作動させる、噴射制御部を備える、嗅覚ディスプレイである。
【００２５】
第３の発明においても、第１の発明と同様に、香気と無臭の空気の混合割合に応じて濃度が制御された香りを均一に提示することができる。また、微細な濃度の制御が可能である。さらに、香気のみならず無臭の空気を安定して噴射させることができる。
【発明の効果】
【００２６】
この発明によれば、香気と無臭の空気を交互にまたは同時に噴射させるので、香気と無臭の空気の混合割合に応じて濃度が制御された香りを均一に提示することができる。
【００２７】
この発明の上述の目的、その他の目的、特徴および利点は、図面を参照して行う後述の実施例の詳細な説明から一層明らかとなろう。
【図面の簡単な説明】
【００２８】
【図１】この発明の一実施例である嗅覚ディスプレイを用いてユーザに香りを提示する様子を示す図解図である。
【図２】図１の嗅覚ディスプレイを拡大して示す図解図である。
【図３】図１の嗅覚ディスプレイの前面方向から見た内部構造を概略的に示す図解図であり、前壁および香源を省略して筐体の内部の様子を示す。
【図４】図１の嗅覚ディスプレイの側面方向から見た内部構造を概略的に示す断面図であり、図３のＩＶ‐ＩＶ線で切断した断面を示す。
【図５】図１の嗅覚ディスプレイが備える風力源を対角線方向に切断したときの断面を示す断面図である。
【図６】図１の嗅覚ディスプレイが備える動作音抑制部を厚さ方向と直交する方向に切断したときの断面を示す断面図である。
【図７】図４に示す制御基板に実装される制御回路の一例を示す回路図である。
【図８】図１の嗅覚ディスプレイから噴射される香り成分の濃度を調整する方法（１）の一例を説明するための図解図である。
【図９】図１の嗅覚ディスプレイから噴射される香り成分の濃度を調整する方法（１）の他の例を説明するための図解図である。
【図１０】図１の嗅覚ディスプレイから噴射される香り成分の濃度を調整する方法（１）のその他の例を説明するための図解図である。
【図１１】図１の嗅覚ディスプレイから噴射される香り成分の濃度を調整する方法（２）の一例を説明するための図解図である。
【図１２】図１の嗅覚ディスプレイから噴射される香り成分の濃度を調整する方法（１）および（２）の変形例を説明するための図解図である。
【図１３】図１の嗅覚ディスプレイから噴射される香り成分の濃度を調整する方法（１）および（２）の他の例を説明するための図解図である。
【図１４】図１の嗅覚ディスプレイから放出される香り成分の濃度を調整する方法（３）の一例を説明するための図解図である。
【図１５】この発明の他の実施例である嗅覚ディスプレイの側面方向から見た内部構造を概略的に示す断面図である。
【図１６】図１５の嗅覚ディスプレイが備える前壁の前面方向から見た外観を示す図解図である。
【図１７】図１６の前壁の裏面側を示す斜視図である。
【発明を実施するための形態】
【００２９】
図１および図２を参照して、この発明の一実施例である嗅覚ディスプレイ１０は、映像や音を含むコンテンツに香り（嗅覚情報）を付加してユーザに提示することによって、コンテンツの現実感や臨場感を高めるために用いられる。たとえば、嗅覚ディスプレイ１０は、パソコン、テレビ、ラジオ、ゲーム機、カラオケ装置、カメラ、ＣＤプレイヤ、ＤＶＤプレイヤおよび携帯電話などの各種の視聴覚ディスプレイ１００と連動して、時空間制御可能に、つまり時間的および空間的に限られた範囲に香りを提示する。
【００３０】
図１および図２は、一例として、嗅覚ディスプレイ１０をパソコンのようなホストコンピュータと連動させて使用する様子を示している。この場合には、嗅覚ディスプレイ１０は、香りを噴射する噴射口６８がユーザの顔の方向を向くように、ＬＣＤディスプレイやキーボード等に取り付けられたり、三脚１０２等に取り付けられてユーザの周囲に設置されたりする。また、嗅覚ディスプレイ１０には、コントローラ３００（図７参照）が接続されており、このコントローラ３００に設けられる調整つまみ３００ａを左方向（反時計周り）または右方向（時計周り）に回動させることにより、噴射される香り成分（香気成分）の濃度を調整することができる。ただし、コントローラ３００には、調整つまみ３００ａに代えて調整ボタンを設けたり、つまみを左右にスライドさせる調整つまみを設けたりしてもよい。
【００３１】
以下、図３および図４を参照して、嗅覚ディスプレイ１０の構成について具体的に説明する。図３は、嗅覚ディスプレイ１０の前面方向（ユーザ側）から見た内部構造を概略的に示す図解図であり、嗅覚ディスプレイ１０が備える筐体１２の前壁１６および香源３０を省略して筐体１２の内部の様子を示すものである。また、図４は、図３のＩＶ-ＩＶ線で切断した嗅覚ディスプレイ１０の断面図であり、嗅覚ディスプレイ１０の側面方向から見た内部構造を概略的に示している。
【００３２】
図３および図４に示すように、嗅覚ディスプレイ１０は、その外殻を構成する筐体１２、複数の香気室２８、固形状の香源３０、複数の風力源３２、および補助風力源７４等を備える。
【００３３】
筐体１２は、側壁１４、前壁１６および後壁１８を含み、アクリル樹脂、フッ素樹脂およびステンレス等の適宜な材料によって中空の六角柱状に形成される。筐体１２の大きさは、前面視で対向する頂点間の長さがたとえば６０ｍｍであり、軸方向（前後方向）の長さがたとえば６０ｍｍである。
【００３４】
筐体１２の内部空間は、六角板状の仕切壁２０によって前後に区画されており、仕切壁２０の後方側の空間は、制御基板２２を収容する制御基板室２４として利用される。制御基板２２は、基板上にＣＰＵやメモリ等の電子部品を実装した構造（図７参照）を有し、後述する風力源３２および補助風力源７４等と配線（図示せず）を介して接続されて、当該嗅覚ディスプレイ１０の動作を制御する。
【００３５】
一方、仕切壁２０の前方側の空間は、前面視で放射状に延びる６枚の隔壁２６によって区画され、筐体１２内には、周方向に並ぶ正三角柱状の密閉空間である６つの香気室２８が形成される。なお、筐体１２に形成する香気室２８の数は、特に限定されないが、装置の小型化および香気の噴射性能などを考慮すると、４つから８つに設定することが好ましい。
【００３６】
各香気室２８内には、異なる香りを有する固形状の香源３０が収容される。固形状の香源３０は、たとえば、粒状の多孔質体に液体香料を染み込ませて（含浸させて）、多孔質体の外表面および細孔内に液体香料を保持させることによって製作される。香料としては、天然香料、合成香料、およびそれらの調合香料が適宜使用できる。多孔質体としては、ケイ酸カルシウム、シリカゲル、ロックウール、珪藻土、ゼオライト、泥炭、木炭、バーミキュライト、ベントナイト、パーライト、カーボンナノチューブ或いは活性炭類などの粒状体を適宜利用できる。多孔質体の粒径および形状は特に限定されないが、香気室２８内の流路抵抗などを考慮すると、粒径が１−６ｍｍ程度の球状体であることが好ましい。この実施例では、各香気室２８内には、平均径が４ｍｍであるケイ酸カルシウムの球状体に液体香料を染み込ませた１５個の香源３０が封入される。このように固形状の香源３０を用いることによって、香源３０から香料（香り成分）を徐々に放出させることができる。つまり、香源３０は長期間に亘って香り成分を放出し続けることができるので、香源３０に液体香料を補充したり、香源３０を交換したりすることなく、長期間に亘って嗅覚ディスプレイ１０を使用できる。
【００３７】
また、香気室２８のそれぞれには、方形板状の風力源３２が設けられる。風力源３２は、中央部に設けられたノズル３４が香気室２８内と連通するように、側壁１４内に配置されて側壁１４の一部を構成する。そして、風力源３２のノズル３４は、香気室２８内に空気を流入させる吸気口６２として機能する。風力源３２の大きさは、たとえば、縦２０ｍｍ、横２０ｍｍ、厚さ２ｍｍである。
【００３８】
図５は、風力源３２を対角線方向に切断したときの断面を示す。風力源３２は、圧電素子（ピエゾ素子）３６を貼り付けたダイヤフラム３８を備えており、圧電素子３６に高周波の交番電圧（正弦波電圧または矩形波電圧）を印加することによって、ダイヤフラム３８を板厚方向に高速で屈曲振動させて、空気の流れを発生させる圧電式のものである。
【００３９】
以下、風力源３２の動作について簡単に説明する。風力源３２では、円板状の圧電素子３６を貼り付けたダイヤフラム３８の約２６ｋＨｚの高速振動に伴い、ポンプ室４０の中心部に設けられた通気孔４２から、空気の吸引と吐出が繰り返される。吸引時に吸入流路４４からポンプ室４０に取り込まれた空気は、吐出時には通気孔４２と同軸に配置された天板４６上のノズル３４を通過し、ノズル３４内のテーパ管路で膨張して吐出される。このとき、通気孔４２とノズル３４との間の空間には、ベンチュリ効果により負圧部が生じるため、吸入流路４２の空気は継続して吸引される。これによって、吸入流路４２からノズル３４へ向かう連続したポンプ動作が得られる。
【００４０】
このように圧電素子３６で駆動する風力源（圧電式の風力源）３２は、ブロアファンやスクロールブロアのような回転機構では無いため、小型化および低背化が可能であり、消費電力も小さい。また、事実上無振動の上、短時間で高い静圧を生成できる特徴を有する。このような風力源３２としては、たとえば株式会社村田製作所製のマイクロブロア（型番：ＭＺＢＸ００１）を用いることができる。
【００４１】
また、各風力源３２の裏側（空気流路の上流側）には、風力源３２の動作音（ダイヤフラム３８の振動音）の外部への漏れを抑制するための方形板状の動作音抑制部４８が設けられる。この動作音抑制部４８も、側壁１４内に配置されて側壁１４の一部を構成する。動作音抑制部４８は、アクリル樹脂、フッ素樹脂或いはステンレス等の適宜な材料によって形成され、ダイヤフラム３８の裏側に空洞部を形成する。動作音抑制部４８の大きさは、たとえば、縦２０ｍｍ、横２０ｍｍ、厚さ２ｍｍである。
【００４２】
図６は、動作音抑制部４８を厚さ方向と直交する方向に切断したときの断面を示す。図６に示すように、動作音抑制部４８の側壁５０には、風力源３２の作動時に外気を吸入するための外気口５２が形成されており、動作音抑制部４８の内部は、Ｃ字状の仕切壁５４によって仕切られている。これによって、風力源３２の動作音は、迷路状の空気通路を遠回りするようにして外気口５２に到達するので、外気口５２（延いては外気吸入口５８）からの動作音の漏れが抑制される。このような動作音抑制部４８を設けることによって、動作音を抑制し、ユーザに対して不快感を与えることなく香りを提示することができる。ただし、動作音抑制部４８の内部構造は、図６の態様に限定されない。たとえば、仕切壁５４のない単なる空洞にしておいてもよいし、別の形状の仕切壁を設けるようにしてもよい。
【００４３】
なお、動作音抑制部４８の外気口５２は、側壁１４に形成される空気路５６、制御基板室２４、および後壁１８に形成される外気吸入口５８を介して、筐体１２の外部と連通する（図４参照）。このように、制御基板室２４を介して風力源３２に外気を吸入するようにすれば、風力源３２の作動中は、制御基板室２４内の空気は常に外気と入れ替わるようになる。これにより、制御基板２２から発する熱を適切に放熱させることができる。
【００４４】
図４に戻って、筐体１２の前壁１６の側縁部および側壁１４の前端部には、互いに嵌り合う嵌合部６０が形成され、前壁１６は、側壁１４に対して着脱可能とされる。つまり、前壁１６は、筐体１２（側壁１４）の前端開口を開閉可能に封止する蓋体として機能する。前壁１６を取り外した際の筐体１２の前端開口は、香源３０を各香気室２８内に入れる、或いは香源３０を各香気室２８から取り出すため等に利用される。
【００４５】
また、各香気室２８には、吸気口６２および香気出口６４が形成される。上述のように、風力源３２のノズル３４が吸気口６２として機能し、吸気口６２のそれぞれは、側壁１４側に形成される。また、香気出口６４のそれぞれは、噴射口６８との距離が短くなるように、前壁１６側の最内位置に形成される。吸気口６２の径および香気出口６４の径は、たとえば０．８ｍｍである。
【００４６】
前壁１６の中央部には、半球状の突起部６６が設けられ、この突起部６６の先端部に噴射口６８が形成される。噴射口６８の径は、たとえば０．８ｍｍである。また、前壁１６には、突起部６６の中央部を貫通するように前壁１６の厚み方向に延び、噴射口６８と各香気室２８の香気出口６４とを連通させる香気通路７０が形成される。香気通路７０は、前方側に向かうに従い縮径されるテーパ部を有し、その前方部分は直管状に形成される。
【００４７】
また、各隔壁２６の連結部分である中心軸７２は、六角柱状に形成され、仕切壁２０から突出してその先端部は香気通路７０内まで延びる。中心軸７２の先端部は、外周面に溝状の切欠きを形成した先細り形状とされ、各香気室２８の香気出口６４から吐出される香気を噴射口６８方向に導くガイド部として機能する。これによって、香気の逆流や他の香気室２８内への香気の浸入が防止される。
【００４８】
さらに、仕切壁２０内には、補助風力源７４が設けられる。補助風力源７４は、風力源３２とは別に、各香気室２８から独立して設けられるものであり、各香気室２８から香気通路７０に送り出された香気の加速、香気成分の濃度調整および消臭などに利用される。この実施例では、補助風力源７４としては、風力源３２と同様のもの、すなわち、圧電素子３６を貼り付けたダイヤフラム３８を備え、圧電素子３６に対して高周波の交番電圧が印加されるとダイヤフラム３８を高速振動させて空気流を発生させるものを用いられる。図５に示すように、この補助風力源７４の裏側にも、動作音抑制部４８が適宜設けられ、動作音抑制部４８の外気口５２は、仕切壁２０に形成される空気路５６、制御基板室２４、および後壁１８に形成される外気吸入口５８を介して、筐体１２の外部と連通する。
【００４９】
また、中心軸７２内には、補助風力源７４のノズル３４から吐出された空気（無臭の空気）の通り道となる補助通路７６が形成される。補助通路７６は、補助風力源７４のノズル３４と香気通路７０とを直線的に連通させる貫通孔であり、香気通路７０を介して噴射口６８まで直線的に延びる。補助通路７６の径は、たとえば０．８ｍｍである。補助風力源７４が作動されると、補助風力源７４のノズル３４から補助通路７６内に無臭の空気が吐出される。この無臭の空気は、複雑な経路を辿ることなく噴射口６８まで直行するので、圧力低下をほとんど生じさせることなく噴射口６８から勢いよく噴射される。
【００５０】
さらに、筐体１２の適宜な位置には、三脚１０２を取り付けるためのねじ穴８０が形成される。この実施例では、ねじ穴８０は、制御基板室２４周囲の側壁１４に形成される。また、ねじ穴８０の規格は、カメラ用の三脚に適合したものとされる。カメラ用の三脚のねじの規格は世界標準（1/4 inch - 20 UNC）で統一されているので、ねじ穴８０の規格をそれに適合させておけば、世界各地のカメラ用の三脚を嗅覚ディスプレイ１０用の三脚１０２としてそのまま使用することができるので便利である。
【００５１】
このような構成の嗅覚ディスプレイ１０は、上述のように、パソコン等が提示する映像や音を含むコンテンツに香りを付加してユーザに提示する。たとえば、映像コンテンツのシーンの切り替わりに応じて、バニラアイスを食べる場面ではバニラの香りを放ち、海辺の場面では潮の香りを放つ。
【００５２】
具体的には、嗅覚ディスプレイ１０の制御基板２２は、連動させるパソコン等から送られてくる指示信号とコントローラ３００からの制御信号に応じて、目的の香源３０を収容した香気室２８に対応する風力源３２の圧電素子３６に対して交番電圧を印加する。すると、ダイヤフラム３８が高速で屈曲振動され、外気吸入口５８、空気路５６および動作音抑制部４８などを介して風力源３２内に外気が吸引されると共に、風力源３２のノズル３４から香気室２８内に高速かつ高圧の空気が送り込まれる。香気室２８内の空気には、香源３０から揮発した気体状の香り成分が含まれており、その香り成分を含む空気（香気）は、香気出口６４から香気通路７０内に吐出される。
【００５３】
また、制御基板２２は、連動させるパソコン等から送られてくる指示信号とコントローラ３００からの制御信号に応じて、補助風力源７４を作動させる。すなわち、補助風力源７４の圧電素子３６に対しても交番電圧を印加する。これにより、補助風力源７４のノズル３４から吐出される無臭の空気は、直線状の補助通路７６内を通って噴射口６８まで直行する。香気出口６４から香気通路７０内に吐出された香気は、補助風力源７４から吐出された無臭の空気と香気通路７０内で合流してその空気の流れに乗って香気噴射方向に加速され、パソコン等の外部からの指示信号に対して殆どの時間的な遅れなしに噴射口６８から勢いよく直進性を持って噴射される。そして、風力源３２および補助風力源７４の圧電素子３６に対する交番電圧の印加が停止されると、噴射口６８からの香気の噴射も瞬時に停止される。
【００５４】
この際、圧電式の風力源３２および補助風力源７４を用いていることから、香気の噴射の開始および停止は、応答性よく実行され（つまり正確な時間制御が可能であり）、しかも、脈動的ではない一定した香りを連続して提示することも可能となる。また、補助風力源７４を備えることにより、風力源３２のみでは香気通路７０で圧力低下が生じてしまうような場合でも、香気室２８から吐出された香気を香気噴射方向に適切に加速することができ、香気の噴射性能を維持ないし向上させることができる。すなわち、噴射口６８からは指向性を持って香気が勢いよく噴射され、空間的に非常に限られた範囲（つまりユーザの顔付近のみ）に対して香りを提示できる。また、香気通路７０における香気成分の付着（残香）も防止される。
【００５５】
なお、風力源３２を停止した後（香り提示後）に、補助風力源７４を作動させ続けて無臭の空気のみを噴射し、提示した香り成分を揮散または希釈するようにすれば、香り成分をそのまま自由拡散させることと比較して、より素早い消臭が可能となる。
【００５６】
また、この実施例では６つの香気室２８を備え、香気通路７０を介して１つの噴射口６８から香気を噴射するようにしている。このため、６種類の香りを個別に提示できるのはもちろんのこと、各香気室２８の風力源３２を同時に或いはタイムシェアリングさせて作動させることにより、香りを調合して提示できる。たとえば、各香気室２８に収容される香源３０をＡ、Ｂ、Ｃ、Ｄ、Ｅ、Ｆとすると、「Ａ+Ｂ、Ａ+Ｃ、…、Ｅ+Ｆ、…、Ｂ+Ｃ+Ｄ+Ｅ+Ｆ、Ａ+Ｂ+Ｃ+Ｄ+Ｅ+Ｆ」というように、多種類の香りを調香して提供できる。また、各風力源３２の入力信号のＤｕｔｙ比を調整すること等によって、香りを調合する割合を適宜変化させることもできる。
【００５７】
この実施例では、上述したように、コントローラ３００の調整つまみ３００ａを操作することにより、香り成分の濃度を調整することができる。具体的には、香気噴射部として機能する風力源３２および第１空気噴射部として機能する補助風力源７４を交互に作動させるとともに、その作動させる時間（以下、「作動期間」という。）および停止させる時間（以下、「停止期間」という。）を制御して、香気室２８からの香気と補助風力源７４からの無臭の空気との混合割合を調整する。
【００５８】
以下、香り成分の濃度を調整（制御）する方法について説明する。たとえば、香り成分の濃度を制御する方法としては、香気と無臭の空気とを交互に噴射させ、香気と無臭の空気とを噴射させる期間を変化させる方法（１）、香気と無臭の空気とを一定時間ずつ交互に噴射させ、香気と無臭の空気とを噴射させる回数を変化させる方法（２）、および、香気と無臭の空気とを交互に噴射させ、一度に香気を噴射させる量（噴射量）を変化させる方法（３）が考えられる。
【００５９】
たとえば、方法（１）から方法（３）までを実現するための制御回路２００の一例が図７に示される。この制御回路２００は、制御基板２２上に形成される。図７に示すように、制御回路２００は、ＣＰＵ２０２を含み、ＣＰＵ２０２には、メモリ２０４が接続される。メモリ２０４は、フラッシュメモリやＲＡＭのような書き代え可能な記憶媒体である。また、ＣＰＵ２０２には、インターフェイス（Ｉ／Ｆ）２０６が接続され、このＩ／Ｆ２０６には、コントローラ３００が接続される。さらに、ＣＰＵ２０２には、スイッチ回路２０８が接続される。このスイッチ回路２０８には、６個の風力源３２および１個の補助風力源７４のそれぞれに含まれる７個の圧電素子３６の一方端が接続される。これらの圧電素子３６の他方端のそれぞれは、可変抵抗Ｒを介して、制御回路２００の外部に設けられる交番電圧源４００に接続される。
【００６０】
なお、ホストコンピュータは、Ｉ／Ｆ２０６または他のＩ／Ｆを介してＣＰＵ２０２と通信可能に接続される。
【００６１】
たとえば、スイッチ回路２０８は、７個のスイッチング素子（たとえば、ＦＥＴ）を含み、各圧電素子３６と接地との間にそれぞれ設けられる。ＣＰＵ２０２は、コントローラ３００からの制御信号に従って、各スイッチング素子をオン／オフする時間を制御したり、各可変抵抗Ｒの抵抗値を制御したり（変化させたり）、または、それらの両方を制御したりする。つまり、風力源３２および補助風力源７４の作動期間および風力源３２および補助風力源７４に含まれる圧電素子３６の振幅の大きさの少なくとも一方を制御する。
【００６２】
また、たとえば、各香気室２８に入れられている香源３０についての情報（香源情報）は、ユーザによってホストコンピュータに登録されており、香源情報はホストコンピュータの内部メモリ（ＨＤＤやフラッシュメモリなど）に記憶（保存）されている。したがって、ホストコンピュータから嗅覚ディスプレイ１０（ＣＰＵ２０２）に入力される指示信号には、噴射する香り、すなわち当該香りの香源３０が入れられた香気室２８に設けられた風力源３２（圧電素子３６）の情報が含まれる。
【００６３】
また、図７に示す制御回路２００には、コントローラ３００によって香り成分の濃度を制御（調整）するための制御信号が入力される。たとえば、コントローラの調整つまみ３００ａの動きに合わせて線形的に濃度を変化させるための制御信号をＣＰＵ２０２（嗅覚ディスプレイ１０）に入力し、これに応じて、嗅覚ディスプレイ１０から噴射される香り成分の濃度を線形的に変化させることができる。ただし、微小な濃度の変化は人間の嗅覚で認識するのは困難であるため、段階的（ステップ状）に濃度を調整するようにしてもよい。この実施例では、簡単のため、３段階（高い、普通（中程度）、低い）で濃度を調整（制御）する場合について説明する。たとえば、コントローラ３００に設けられた調整つまみ３００ａを左に一杯回すと、濃度を低くするための制御信号がＣＰＵ２０２に入力される。また、コントローラ３００に設けられた調整つまみ３００ａを右に一杯回すと、濃度を高くするための制御信号がＣＰＵ２０２に入力される。そして、コントローラ３００に設けられた調整つまみ３００ａを左に一杯回したときと右に一杯回したときの中間の位置（以下、「中間の位置」という）に合わせると、濃度を普通（中程度）にするための制御信号がＣＰＵ２０２に入力される。
【００６４】
方法（１）の場合には、香り提示期間において、提示する香りの香源３０が入れられた香気室２８に設けられた風力源３２の作動期間と、補助風力源７４の作動期間とが反転するように、各風力源（３２、７４）の圧電素子３６が駆動および停止される。ただし、方法（１）（方法（２）の場合も同様）では、各圧電素子３６に波高値が一定値の交番電圧が印加される。具体的には、交番電圧源４００からの交番電圧が各可変抵抗Ｒで降圧され、降圧された交番電圧（たとえば、周波数２６ｋＨｚ、１９．５Ｖｐ−ｐ）が各圧電素子３６に印加される。
【００６５】
なお、香り提示期間は、ホストコンピュータから香りを提示することの指示信号が入力された場合に、当該指示信号において指定される期間（時間）である。
【００６６】
図８（Ａ）および（Ｂ）には、調整つまみ３００ａを中間の位置に合わせることにより、香り成分の濃度を普通（中程度）に設定するための制御信号がコントローラ３００からＣＰＵ２０２に入力された場合に、風力源３２および補助風力源７４の作動を制御する例（作動および停止の時系列の変化）が示される。また、図９（Ａ）および（Ｂ）には、調整つまみ３００ａを右に一杯回すことにより、香り成分の濃度を高く設定するための制御信号がコントローラ３００からＣＰＵ２０２に入力された場合に、風力源３２および補助風力源７４の作動を制御する例が示される。さらに、図１０（Ａ）および（Ｂ）には、調整つまみ３００ａを左に一杯回すことにより、香り成分の濃度を低く設定するための制御信号がコントローラ３００からＣＰＵ２０２に入力された場合に、風力源３２および補助風力源７４の作動を制御する例が示される。
【００６７】
ただし、図８（Ａ）、図９（Ａ）および図１０（Ａ）の風力源３２は、ホストコンピュータから指示された香源３０、すなわち提示する香りの香源３０が入れられた香気室２８に設けられた風力源３２である。
【００６８】
上述したように、方法（１）では、風力源３２の作動期間と補助風力源７４の作動期間とが反転され、風力源３２と補助風力源７４は交互に作動される。
【００６９】
また、この実施例では、香り成分の濃度に応じて、風力源３２の一回の作動期間は決定されている。上述したように、この実施例では、３段階で濃度を変化させるため、調整つまみ３００ａを左に一杯回した場合と、調整つまみ３００ａを中間の位置に合わせた場合と、調整つまみ３００ａを右に一杯回した場合とで、風力源３２の一回の作動期間が変化される。
【００７０】
たとえば、香り成分の濃度が普通（中程度）である場合の作動期間を基準（たとえば、１秒）として、香り成分の濃度が高い場合の作動期間は基準の１．５倍（１．５秒）であり、香り成分の濃度が低い場合の作動期間は基準の０．５倍（０．５秒）である。ここで、たとえば、風力源３２の作動を制御する周期を２秒とする。濃度に応じた作動期間および周期についての数値はメモリ２０４に記憶されており、ＣＰＵ２０２は、コントローラ３００から制御信号を受信すると、これらの数値に従って、スイッチ回路２０８内部に設けられるスイッチング素子のオン／オフを制御する。
【００７１】
図８（Ａ）および図８（Ｂ）に戻って、香り成分の濃度が普通である場合には、風力源３２の一回の作動期間は１秒であり、作動を制御する周期は２秒であるため、補助風力源７４の一回の作動期間は１秒に設定される。つまり、風力源３２の一回の作動期間と補助風力源７４の一回の作動期間は同じ長さに設定される。
【００７２】
なお、図８（Ａ）および図８（Ｂ）において（図９−図１３も同じ。）、作動期間についてはＨ（ハイレベル）と記載し、停止期間についてはＬ（ローレベル）と記載してあるが、ＣＰＵ２０２がＦＥＴのようなスイッチング素子に与えるパルスのレベルを意味する。つまり、この実施例では、パルスがハイレベルのときにスイッチング素子はオンされ、パルスがローレベルのときにスイッチング素子はオフされる。
【００７３】
また、図９（Ａ）および図９（Ｂ）に示すように、香り成分の濃度が高い場合には、風力源３２の一回の作動期間は１．５秒であり、作動を制御する周期は２秒であるため、補助風力源７４の一回の作動期間は０．５秒に設定される。つまり、風力源３２の一回の作動期間は、補助風力源７４の一回の作動期間の３倍の長さに設定される。したがって、香り成分の濃度が普通である場合よりも高くされる。
【００７４】
さらに、図１０（Ａ）および図１０（Ｂ）に示すように、香り成分の濃度が低い場合には、風力源３２の一回の作動期間は０．５秒であり、作動を制御する周期は２秒であるため、補助風力源７４の一回の作動期間は１．５秒に設定される。つまり、風力源３２の一回の作動期間は、補助風力源７４の一回の作動期間の１／３の長さに設定される。したがって、香り成分の濃度が普通である場合よりも低くされる。
【００７５】
上記の図８−図１０に示した方法（１）の場合には、濃度に応じた風力源３２の一回の作動期間を予め決定しておいたが、これに限定される必要はない。たとえば、方法（２）の場合には、風力源３２の一回の作動期間を所定の長さに設定しておき、風力源３２および補助風力源７４を作動させる回数（頻度）で濃度を調整することもできる。したがって、方法（２）では、この作動期間の所定の長さについての情報がメモリ２０４に記憶されている。
【００７６】
かかる場合には、香り成分の濃度に応じて、香り提示期間において風力源３２および補助風力源７４を作動させる回数が均等になるように計算される。ただし、香り提示期間において香りを提示し続ける場合を香り成分の濃度が１００％であると定義し、香り成分の濃度が普通である場合には風力源３２の全作動期間が香り提示期間の５０％の長さに設定され、香り成分の濃度が高い場合には風力源３２の全作動期間が香り提示期間の７５％の長さに設定され、そして、香り成分の濃度が低い場合には、風力源３２の全作動期間が香り提示期間の２５％の長さに設定される。
【００７７】
たとえば、香り提示期間が１０秒である場合には、香り成分の濃度が普通である場合には、香気を噴射させる全期間として、香り提示期間の半分である５秒間が割り当てられ、無臭の空気を噴射させる全期間として、残り半分である５秒間が割り当てられる。ここで、風力源３２の一回の作動期間を０．５秒（周期を１秒）に設定すると、図１１（Ａ）および図１１（Ｂ）に示すように、１０回均等に風力源３２が作動されるとともに、風力源３２とは作動期間と停止期間を反転させて１０回均等に補助風力源７４が作動される。
【００７８】
また、濃度が低い場合には、香り提示期間の２．５秒間香気が噴射され、残りの７．５秒間無臭の空気が噴射される。かかる場合には、図１０（Ａ）および（Ｂ）に示した場合と同様に、５回均等に風力源３２が作動される。かかる場合には、風力源３２が停止されているときに５回均等に補助風力源７４が作動されるため、補助風力源７４の作動期間は１．５秒に設定される。
【００７９】
香り成分の濃度が高い場合には、香り提示期間の７．５秒間香気が噴射され、残りの２．５秒間無臭の空気が噴射される。かかる場合には、風力源３２の一回の作動期間を０．５秒のままにすると、１５回に分けて香気が噴射されることになる。同じ回数だけ無臭の空気を噴射させるようにすると、補助風力源７４の一回の作動期間が約０．１６７秒になってしまう。香気や無臭の空気を安定して噴射させるためには、風力源３２および補助風力源７４を０．５秒以上の長さで作動させる必要があることが実験等で経験的に得られている。したがって、補助風力源７４の一回の作動期間を０．５秒以上にするためには、風力源３２が作動される全期間である２．５秒を多くても５回に分ける必要がある。また、風力源３２と補助風力源７４を交互に作動させるためには、風力源３２も５回に分けて作動させる必要がある。このため、風力源３２の一回の作動期間が１．５秒に変更される。したがって、図９（Ａ）および（Ｂ）に示した場合と同様に、風力源３２および補助風力源７４の作動が制御される。
【００８０】
このように、風力源３２の一回の作動期間を所定の長さに設定して、風力源３２および補助風力源７４の作動回数を計算しても、香り成分の濃度を調整（制御）することができる。ただし、４段階以上で香り成分の濃度を調整（制御）する場合にも、風力源３２および補助風力源７４について算出した作動期間が０．５秒未満になる場合には、上記のように、作動期間が０．５秒以上になるように、作動期間および作動回数を変更する必要がある。
【００８１】
上記のように、図８−図１１では、風力源３２と補助風力源７４を交互に作動させるようにしたが、これらを同時に作動させるようにしてもよい。たとえば、香気と無臭の空気を混合する割合が同じである場合には、風力源３２と補助風力源７４は同じタイミングで作動および停止される。また、香気と無臭の空気を混合する割合が異なる場合には、風力源３２と補助風力源７４は同じタイミングで作動され、停止されるタイミングがずれる。かかる場合であっても、香気出口６４から香気通路７０内に吐出された香気は、補助風力源７４から吐出された無臭の空気と香気通路７０内で合流するため、香気と無臭の空気とを吐出（噴射）させる割合に応じて香り成分の濃度を調整することもできる。このことは、後述する図１５に示す方法（３）の場合についても同様である。
【００８２】
なお、図８−図１１に示した場合には、風力源３２と補助風力源７４を交互に作動させ、香気と無臭の空気の噴射の割合を変化させることにより、濃度を調整するようにしたが、風力源３２の作動期間および停止期間を変化させるだけで、香り成分の濃度を調整することもできる。
【００８３】
たとえば、図１２（Ａ）および図１２（Ｂ）には、香り成分の濃度が低い場合の他の例が示される。かかる場合には、図１２（Ａ）に示すように、風力源３２は、図１１（Ａ）に示した場合と同様に制御される。一方、図１２（Ｂ）に示すように、補助風力源７４は、香り提示期間において常に作動される。
【００８４】
また、図示は省略するが、風力源３２の作動期間と補助風力源７４の停止期間を同じ長さに設定するとともに、風力源３２の停止期間と補助風力源７４の作動期間を同じ長さに設定したが、これに限定される必要はない。たとえば、補助風力源７４の作動期間は、風力源３２の停止期間の一部を含むように短く設定したり、風力源３２の停止期間の全部を含む（同じ長さは除く）ように設定されたりしてもよい。
【００８５】
ここで、上述したように、この実施例では、香気や無臭の空気を安定して噴射させるためには、風力源３２および補助風力源７４を０．５秒以上の長さで作動させる必要がある。そうすると、補助風力源７４を風力源３２と交互に作動させたり、補助風力源７４を常に作動させたりするだけでは、さらに低い濃度の香りを提示することができない。
【００８６】
そこで、この実施例では、香気室２８に香り成分が付加されていない多孔質体や非孔質体などの粒状体のみを収納したり、香気室２８に何も入れない空室としたりしておき、当該香気室２８からさらに無臭の空気を噴射するようにしてある。
【００８７】
一例として、図１３（Ａ）および（Ｂ）に示すように、香源３０が入れられた香気室２８の風力源３２と、香源３０等が入れられていない香気室２８の他の風力源３２が図１０（Ａ）および（Ｂ）に示した場合と同様に、香り提示期間において交互に作動される。この場合、他の風力源３２は、第２空気噴射部として機能する。さらに、図１３（Ｃ）に示すように、香り提示期間において、補助風力源７４が常に作動される。ただし、他の風力源３２と補助風力源７４の制御は逆でもよい。
【００８８】
ただし、補助風力源７４は、図１３（Ｂ）に示す他の風力源３２と同様に制御されてもよい。
【００８９】
また、香源３０等が入れられていない香気室２８を２つ以上設けて、それらの香気室２８に設けられる風力源３２のうちの１つまたは２つ以上を同時に図１３（Ｂ）に示す場合と同様に制御してもよい。このようにすれば、複数の段階に分けて、香り成分の濃度を低くすることができる。
【００９０】
なお、当然のことではあるが、同じ香りについての香源３０を複数の香気室２８に入れておき、これらの複数の香気室２８の風力源３２を同時に作動すれば、そのうちの１つの香気室２８の風力源３２を作動させる場合よりも、香り成分の濃度を高くすることができる。
【００９１】
次に、上記の方法（３）を実現する場合について説明する。方法（３）の場合には、コントローラ３００の制御信号がＣＰＵ２０２に入力されると、ＣＰＵ２０２は、可変抵抗Ｒの抵抗値を変化させることにより、交番電圧源４００から風力源３２の圧電素子３６に与えられる交番電圧の電圧値を変化させる。たとえば、交番電圧を５Ｖｐ−ｐから３０Ｖｐ−ｐの間で変化させることができる。ただし、周波数は２６ｋＨｚで一定である。
【００９２】
なお、この実施例では、補助風力源７４の圧電素子３６（図７に示す制御回路２００の例では、右端の圧電素子３６）に与えられる交番電圧は一定（たとえば、周波数２６ｋＨｚ、１９．５Ｖｐ−ｐ）である。
【００９３】
上述したように、方法（３）では、交番電圧の電圧値が変化されるため、風力源３２に設けられる圧電素子３６の振幅（振動振幅）が変化し、振幅の変化に応じて、一度に噴射される香気の量が増加または減少する。また、この方法（３）では、交番電圧の電圧値で香り成分の濃度を変化させるため、図１４（Ａ）および（Ｂ）からも分かるように、ＣＰＵ２０２は、風力源３２の作動期間と停止期間とが同じ長さ（ここでは、１秒）になるように、スイッチ回路２０８に含まれるスイッチング素子のオン／オフを制御する。この作動期間（および停止期間）についての情報がメモリ２０４に記憶されている。つまり、ＣＰＵ２０２は、図８（Ａ）に示したような波形のパルスを、風力源３２の圧電素子３６を駆動／停止するためのスイッチング素子に入力する。また、補助風力源７４は風力源３２と交互に作動されるため、ＣＰＵ２０２は、図８（Ｂ）に示したような波形のパルスを、補助風力源７４の圧電素子３６を駆動／停止するためのスイッチング素子に入力する。
【００９４】
方法（３）において香り成分の濃度を濃く設定する場合には、図１４（Ａ）および（Ｂ）に示すように、風力源３２および補助風力源７４の圧電素子３６に交番電圧が印加される。ただし、交番電圧は、Ｅ３（３０Ｖｐ−ｐ）＞Ｅ２（１９．５Ｖｐ−ｐ）＞Ｅ１（１０Ｖｐ−ｐ）＞Ｅ０（０Ｖ）である。図１４（Ａ）および（Ｂ）においても、簡単のため、香り成分の濃度が３段階で変化される場合について示してある。
【００９５】
図１４（Ａ）に示すように、香り成分の濃度が高い場合には、風力源３２の圧電素子３６にＥ３の交番電圧が印加される。図示は省略するが、香り成分の濃度が普通（中程度）の場合には、風力源３２の圧電素子３６にＥ２の交番電圧が印加される。また、香り成分の濃度が低い場合には、風力源３２の圧電素子３６にＥ１の交番電圧が印加される。また、図１４（Ｂ）に示すように、補助風力源７４の圧電素子３６には、香り提示期間において風力源３２と交互に作動するように、Ｅ２の交番電圧が印加される。
【００９６】
ただし、図１２（Ｂ）に示したように、補助風力源７４は、香り提示期間において常に作動させてもよい。また、図１３（Ｂ）および（Ｃ）に示したように、無臭の空気が入れられた香気室２８の他の風力源３２とともに、補助風力源７４が作動されてもよい。
【００９７】
上述の実施例では、風力源３２および補助風力源７４の作動期間や停止期間の長さを変化させたり、風力源３２の作動期間を所定の長さに設定して風力源３２および補助風力源７４を作動させる回数を計算したり、風力源３２の圧電素子３６に印加する交番電圧の電圧値を変化させたりして、香り成分の濃度を制御するようにしたが、これに限定される必要はない。
【００９８】
たとえば、風力源３２および補助風力源７４の作動期間や停止期間の長さを変化させるとともに、風力源３２の圧電素子３６に印加する交番電圧の電圧値を変化させて、香り成分の濃度を制御するようにしてもよい。つまり、方法（１）と方法（３）とを組み合わせてもよい。また、風力源３２の作動期間を所定の長さに設定して風力源３２および補助風力源７４を作動させる回数を計算するとともに、風力源３２の圧電素子３６に印加する交番電圧の電圧値を変化させて、香り成分の濃度を制御するようにしてもよい。つまり、方法（２）と方法（３）とを組み合わせても良い。
【００９９】
また、上述の実施例では、香り提示期間においては、濃度を調整していないが、調整つまみ３００ａを変化させることにより、当該香り提示期間においても、香り成分の濃度を調整することは可能である。
【０１００】
この実施例によれば、香気と無臭の空気を交互にまたは同時に噴射させるので、香気と無臭の空気の混合割合に応じて濃度が制御された香りを均一に提示することができる。
【０１０１】
また、この実施例によれば、香気室に無臭の空気を入れることにより、香気室から無臭の空気を噴出させることができるため、補助風力源によって噴出される無臭の空気と使い分けたり、同時に使用したりすることにより、微細な濃度の制御が可能である。
【０１０２】
さらに、この実施例によれば、風力源および補助風力源の作動期間および停止期間の長さを変化させたり、風力源の作動期間を所定の長さに設定して風力源および補助風力源を作動させる回数を変化させたり、風力源の圧電素子に印加される交番電圧の電圧値を変化させたりするだけで、香り成分の濃度を制御するので、香り成分の濃度を簡単に制御することができる。
【０１０３】
なお、この実施例においては、風力源の吐出性能（静圧生成能）と補助風力源の吐出性能とは、同程度にしてもよいが、補助風力源の吐出性能を風力源の吐出性能よりも高くすることもできる。このように、補助風力源の吐出性能を風力源の吐出性能よりも高くすることによって、香気室に入れられた無臭の空気で香り成分の濃度を薄める場合よりも、補助風力源によって噴射される無臭の空気で香り成分の濃度を薄める場合の方が、より濃度を低くすることができる。
【０１０４】
また、この実施例では、コントローラ３００から制御信号を入力するようにしたが、ホストコンピュータから指示信号および制御信号を入力するようにしてもよい。
【０１０５】
また、この実施例で示した嗅覚ディスプレイの構成に限定されるべきではない。香気と無臭の空気を同一の噴射口から噴射可能あれば、他の様々な構成を取り得る。たとえば、香気室には、香源が封入されたカートリッジを装着するようにしてもよい。また、筐体の形状は六角柱状に限定される必要はなく、香気室の数などに応じて、立方体状、直方体状、多角柱状および円柱状など、適宜な形状に変更することができる。さらに、筐体内を区画する隔壁の枚数や中心軸の形状も、形成する香気室の数などに応じて適宜変更することができる。
【０１０６】
図１５は、他の実施例の嗅覚ディスプレイ１０の側面方向から見た内部構造の概略図を示す。図１５に示すように、他の実施例の嗅覚ディスプレイ１０では、各香気室２８に香源カートリッジ８０が装着されている。この香源カートリッジ８０に香源３０が封入される。ただし、香源カートリッジ８０は１つ装着されていれば良い。また、香源カートリッジ８０には、無臭の空気が封入される場合もある。
【０１０７】
また、図１５に示すように、香源カートリッジ８０には導入口８２が設けられ、風力源３２のノズル３４と連結される。したがって、ノズル３４から吐出された空気が香源カートリッジ８０内に送り込まれる。また、香源カートリッジ８０には導出口８４が設けられ、導出口８４は香気出口６４と連結される。したがって、香源カートリッジ８０内の香気（無臭の空気）は導出口８４から香気出口６４を介して香気通路７０に吐出される。
【０１０８】
また、図１５および図１６に示すように、他の実施例の嗅覚ディスプレイ１０では、前壁１６は、六角板状に形成され、その肉厚は、周縁部から中央部に向かって徐々に肉厚とされる。この前壁１６の前方側中央部には、７つの噴射口６８が設けられる。これらの７つの噴射口６８は、前壁１６の前方側中央部において近傍位置に集められて形成される。具体的には、円状に並ぶ６つの噴射口６８が設けられるとともに、その円の中心部分に１つの噴射口６８が設けられる。隣り合う噴射口６８間の距離は、たとえば２ｍｍである。
【０１０９】
円状に並ぶ６つの噴射口６８のそれぞれは、個別の連通孔９０を介して各香気室２８の香気通路７０と連通される。つまり、香源カートリッジ８０の導出口８４から吐出された香気は、個別の連通孔９０を通って個別の噴射口６８から噴射される。各連通孔９０の香気の入口部分（香気出口６４））は、香源カートリッジ８０の導出口８４よりも少し大きめに形成される。そして、各連通孔９０は、香気出口６４からテーパ状に縮径して、前方に向かって直管状に延びる。これにより、香源カートリッジ８０の導出口８４から吐出される香気（または無臭の空気）は、連通孔９０を介して噴射口６８まで円滑に導かれる。また、６つの噴射口６８の中心部分に設けられる噴射口６８は、補助通路７６を介して補助風力源７４のノズルと直線的に連通される（図１７参照）。
【０１１０】
このような他の実施例の嗅覚ディスプレイ１０においても、上述したような方法（１）ないし方法（３）のいずれかの方法で、風力源３２および補助風力源７４を作動制御することにより、香気および無臭の空気をそれぞれ異なる噴射口６８から適宜噴射させることができる。
【０１１１】
上述したように、７つの噴射口６８は互いに近傍位置に配置されるため、異なる噴射口６８から噴射された香気と無臭の空気とは、筐体２０外部では略同一の経路を直線状に進み、筐体２０の外部で合流する。したがって、かかる場合にも、香気と無臭の空気の混合割合に応じて濃度が制御された香りを均一に提示することができる。
【０１１２】
さらに、この実施例では、固形状の香源として、粒状の多孔質体に液体香料を染み込ませたものを用いたが、これに限定されない。たとえば、常温で固体またはゲル状の基材を加熱によって液化させたものに液体香料を溶解した後、これを常温に冷却することによって固化またはゲル化させたものを固形状の香源として用いることもできる。ただし、簡単かつ安価に製作でき、また液体香料の補充ができるという観点から、固形状の香源としては、多孔質材に液体香料を染み込ませたものを用いることが好ましい。
【０１１３】
なお、上で挙げた寸法などの具体的数値はいずれも単なる一例であり、製品の仕様などの必要に応じて適宜変更可能である。
【符号の説明】
【０１１４】
１０  …嗅覚ディスプレイ
１２  …筐体
２２  …制御基板
２４  …制御基板室
２６  …隔壁
２８  …香気室
３０  …香源
３２  …風力源
３６  …圧電素子
３８  …ダイヤフラム
４８  …動作音抑制部
６２  …吸気口
６４  …香気出口
６８  …噴射口
７０  …香気通路
７４  …補助風力源
８０  …香源カートリッジ
８２  …導入口
８４  …導出口
９０  …連通孔
１００  …視聴覚ディスプレイ
２００  …制御回路
２０８  …スイッチ回路
３００  …コントローラ
３００ａ  …調整つまみ
４００  …交番電圧源
【図１】
0005867491.tif 000002
【図２】
0005867491.tif 000003
【図３】
0005867491.tif 000004
【図４】
0005867491.tif 000005
【図５】
0005867491.tif 000006
【図６】
0005867491.tif 000007
【図７】
0005867491.tif 000008
【図８】
0005867491.tif 000009
【図９】
0005867491.tif 000010
【図１０】
0005867491.tif 000011
【図１１】
0005867491.tif 000012
【図１２】
0005867491.tif 000013
【図１３】
0005867491.tif 000014
【図１４】
0005867491.tif 000015
【図１５】
0005867491.tif 000016
【図１６】
0005867491.tif 000017
【図１７】
0005867491.tif 000018